(57)【特許請求の範囲】
【請求項１】
少なくとも冷凍サイクルを構成する凝縮器と、
前記凝縮器に外気を導入して当該凝縮器内の冷媒と熱交換させる送風ファンと、
前記凝縮器の前方に配置される各種構成機器と、
を本体ケース内に備えた自動販売機において、
前記凝縮器の前方に配置される各種構成機器は、本体ケースの基台上に設けた取付台に搭載され、
前記基台と前記取付台との間には、前記凝縮器を臨む空間部が形成され、
前記空間部には、前記凝縮器から除去した塵埃を回収する集塵トレイを挿脱自在に設けたことを特徴とする自動販売機。
【請求項２】
空間部には、集塵トレイを定位置に案内し保持する案内保持レールを設けたことを特徴とする請求項１に記載の自動販売機。
【請求項３】
集塵トレイの凝縮器に対向する箇所に緩衝材を設けたことを特徴とする請求項１または２に記載の自動販売機。
【発明の詳細な説明】
【０００１】
【発明の属する技術分野】
この発明は、自動販売機に関し、さらに詳しくは、凝縮器の清掃時に出る塵埃を容易に回収でき、清掃し易い自動販売機に関する。
【０００２】
【従来の技術】
商品冷却機能を有する自動販売機の本体ケースの機械室には、冷凍サイクルを構成する凝縮器と、この凝縮器に外気を導入して当該凝縮器内の冷媒と熱交換させる送風ファンとを備えている。また、外扉の下端部には、外気を導入するための通気孔が多数設けられている。
【０００３】
送風ファンによって外扉の通気孔から外気を導入すると、塵埃も一緒に導入され、凝縮器表面の熱交換フィンに付着する。付着した塵埃は凝縮器の熱交換性能を低下させるため、ブラシ等によって手作業で清掃除去されることが多い。その際、ブラシ等によって除去された塵埃は、凝縮器が載置されている本体ケースの基台上に落下するので、これらを箒で掃き集めたり、掃除機で吸引することによって回収除去していた。
【０００４】
【発明が解決しようとする課題】
機械室の前方に配置された凝縮器を備えた自動販売機であれば、清掃対象物を目視し易く、手も届き易いので比較的清掃し易く、除去された塵埃の回収作業も比較的容易である。しかしながら、電子レンジ付きの自動販売機のように、凝縮器が電子レンジユニットや搬送装置等の背後に配置され、凝縮器を目視しにくく、清掃しにくい自動販売機では、清掃頻度が低下し、熱交換フィンの目詰まり等による冷却性能の低下を招きやすいという課題があった。特に屋内に配置される自動販売機にあっては、床の絨毯等から綿埃が生じやすく、これが上記目詰まりの原因になりやすかった。
【０００５】
この発明は、上記に鑑みてなされたものであって、凝縮器の清掃時に出る塵埃を容易に回収でき、清掃し易い自動販売機を提供することを目的とする。
【０００６】
【課題を解決するための手段】
上述の目的を達成するために、この発明の請求項１にかかる自動販売機は、少なくとも冷凍サイクルを構成する凝縮器と、前記凝縮器に外気を導入して当該凝縮器内の冷媒と熱交換させる送風ファンと、前記凝縮器の前方に配置される各種構成機器とを本体ケース内に備えた自動販売機において、前記凝縮器の前方に配置される各種構成機器は、本体ケースの基台上に設けた取付台に搭載され、前記基台と前記取付台との間には、前記凝縮器を臨む空間部が形成され、前記空間部には、前記凝縮器から除去した塵埃を回収する集塵トレイを挿脱自在に設けたものである。これにより、凝縮器の清掃時に出る塵埃を容易に回収でき、清掃性が格段に向上するので、凝縮器の熱交換フィンの目詰まり等を防止でき、冷却性能の低下を防止できる。
【０００７】
また、この発明の請求項２にかかる自動販売機は、空間部には、集塵トレイを定位置に案内し保持する案内保持レールを設けたものである。これにより、集塵トレイを定位置に容易かつ確実に配置でき、凝縮器から除去した塵埃を確実に回収できる。
【０００８】
また、この発明の請求項３にかかる自動販売機は、集塵トレイの凝縮器に対向する箇所に緩衝材を設けたものである。これにより、集塵トレイが凝縮器表面に当接しても、緩衝材の緩衝作用によって熱交換フィンの破損を防止できる。また、集塵トレイと凝縮器とが密着し、両者の間に隙間が生じないので、凝縮器から除去した塵埃を確実に回収できる。
【０００９】
【発明の実施の形態】
以下、この発明にかかる自動販売機の実施の形態につき図面を参照しつつ詳細に説明する。なお、この実施の形態によりこの発明が限定されるものではない。
【００１０】
図１は、この発明の実施の形態にかかる集塵トレイの配設状態を示す部分断面図、図２は、集塵トレイを示す斜視図、図３は、空間部に設けた案内保持レールを示す斜視図、図４は、自動販売機全体の概略構成を示す斜視図、図５は、自動販売機を示す正面図、図６は、本体ケースに配設された凝縮器を示す斜視図である。
【００１１】
以下、電子レンジ付きの自動販売機を例にして説明する。この自動販売機の全体構成は、図４〜図６に示すように、本体ケース１と、この本体ケース１に対して開閉自在に設けられた外扉２および断熱扉３と、商品を収納するスパイラルラック４と、スパイラルラック４から送出された商品を搬出する搬出扉５と、搬出された商品を電子レンジユニット７に搬送するとともに当該電子レンジユニット７によって加熱された商品を取出口装置８に搬送する搬送装置６とを備えている。
【００１２】
また、これら搬送装置６、電子レンジユニット７、取出口装置８は、本体ケース１の取付台１ｂ上に配設され、搬送装置６の背後の基台１ａには、凝縮器１０が配設されている（図１，図３，図６参照）。なお、この凝縮器１０の背後には、外気を導入するための図示しない送風ファンや圧縮機等が配設されている。上記各装置は、公知技術によって構成されている。
【００１３】
つぎに本発明の要部について説明する。図１〜図３に示すように、基台１ａと取付台１ｂとの間には、凝縮器１０を臨む空間部１ｃが形成され、この空間部１ｃには、凝縮器１０から除去した塵埃１１を回収する集塵トレイ１４を、案内保持レール１６を介して挿脱自在に設けてある。集塵トレイ１４には、挿脱作業がし易いように取手部１４ａが形成されている。
【００１４】
この案内保持レール１６は、集塵トレイ１４を定位置に案内し保持するためのものであり、集塵トレイ１４の空間部１ｃへの円滑な挿入を補助する傾斜部１６ａと、挿入後、定位置に位置決めするための段部１６ｂとを備えている。これにより、集塵トレイ１４を定位置に容易かつ確実に配置でき、凝縮器１０から除去した塵埃１１を確実に回収できる。
【００１５】
また、図１および図２に示すように、集塵トレイ１４の凝縮器１０に対向する箇所には、緩衝材１４ｂを設けてある。これにより、集塵トレイ１４ｂが凝縮器１０表面に当接しても、緩衝材１４ｂの緩衝作用によって熱交換フィンの破損を防止できる。また、集塵トレイ１４と凝縮器１０とが密着し、両者の間に隙間が生じないので、凝縮器１０から除去した塵埃１１を確実に回収できる。
【００１６】
以上のように、この実施の形態にかかる自動販売機によれば、凝縮器１０の清掃時に出る塵埃１１を集塵トレイ１４によって容易に回収でき、清掃性が格段に向上する。したがって、凝縮器１０の熱交換フィンの目詰まり等を防止でき、冷却性能の低下を防止できる。
【００１７】
特に電子レンジ付きの自動販売機のように、凝縮器１０が電子レンジユニット７や搬送装置６等の背後に配置され、凝縮器１０を目視しにくく、清掃しにくい自動販売機では、清掃性が大幅に向上し、格段の効果を期待できる。
【００１８】
なお、上記実施の形態においては、集塵トレイ１４を電子レンジ付きの自動販売機に適用した例を説明したが、これに限定されず、その他の自動販売機に適用してもよい。
【００１９】
【発明の効果】
以上説明したように、この発明にかかる自動販売機（請求項１）によれば、少なくとも冷凍サイクルを構成する凝縮器と、前記凝縮器に外気を導入して当該凝縮器内の冷媒と熱交換させる送風ファンと、前記凝縮器の前方に配置される各種構成機器とを本体ケース内に備えた自動販売機において、前記凝縮器の前方に配置される各種構成機器は、本体ケースの基台上に設けた取付台に搭載され、前記基台と前記取付台との間には、前記凝縮器を臨む空間部が形成され、前記空間部には、前記凝縮器から除去した塵埃を回収する集塵トレイを挿脱自在に設けたので、凝縮器の清掃時に出る塵埃を容易に回収でき、清掃性が格段に向上する。したがって、凝縮器の熱交換フィンの目詰まり等を防止でき、冷却性能の低下を防止できる。
【００２０】
また、この発明にかかる自動販売機（請求項２）によれば、空間部には、集塵トレイを定位置に案内し保持する案内保持レールを設けたので、集塵トレイを定位置に容易かつ確実に配置でき、凝縮器から除去した塵埃を確実に回収できる。
【００２１】
また、この発明にかかる自動販売機（請求項３）によれば、集塵トレイの凝縮器に対向する箇所に緩衝材を設けたので、集塵トレイが凝縮器表面に当接しても、緩衝材の緩衝作用によって熱交換フィンの破損を防止できる。また、集塵トレイと凝縮器とが密着し、両者の間に隙間が生じないので、凝縮器から除去した塵埃を確実に回収できる。
【図面の簡単な説明】
【図１】この発明の実施の形態にかかる集塵トレイの配設状態を示す部分断面図である。
【図２】集塵トレイを示す斜視図である。
【図３】空間部に設けた案内保持レールを示す斜視図である。
【図４】自動販売機全体の概略構成を示す斜視図である。
【図５】自動販売機を示す正面図である。
【図６】本体ケースに配設された凝縮器を示す斜視図である。
【符号の説明】
１  本体ケース
１ａ  基台
１ｂ  取付台
１ｃ  空間部
２  外扉
３  断熱扉
４  スパイラルラック
５  搬出扉
６  搬送装置
７  電子レンジユニット
８  取出口装置
１０  凝縮器
１１  塵埃
１２  防塵網
１４  集塵トレイ
１４ａ  取手部
１４ｂ  緩衝材
１６  案内保持レール
１６ａ  傾斜部
１６ｂ  段部
【図１】
0004304857.tif 000002
【図２】
0004304857.tif 000003
【図３】
0004304857.tif 000004
【図４】
0004304857.tif 000005
【図５】
0004304857.tif 000006
【図６】
0004304857.tif 000007